(57)【要約】【課題】一体構造として容易に成形することができ、コンクリート構造体への大きな固定強度を確保することができるコンクリート構造体接続部の止水構造およびこれに用いる止水用シール材を提供すること。【解決手段】相対向するコンクリート構造体１，１の接続部端面１１内側に切り欠き部１２ａを形成して止水用シール材２０を装着する装着溝１２を形成し、この装着溝１２に装着する可撓性のあるゴムまたはプラスチック製の止水用シール材２０を、装着溝１２の側面に外側面が押圧される一対の中空部を有する側面押圧部２１と、これら一対の側面押圧部を連結して装着溝１２の側面に押圧されて内側開口を塞ぐ中空部を有する開口閉塞部２２とを略Ｖ字状に連結して構成する。  これにより、一対の側面押圧部２１，２１のＶ字状の先端側の間隔を狭めて圧縮反力を生じさせて装着溝１２に装着することで、中空部とともに大きな固定強度を確保でき、しかも止水用シール材２０を一体に成形できるようにしている。【選択図】図１
2008156833.tif 000002
【特許請求の範囲】
【請求項１】
コンクリート構造体の接続部の変位の吸収と止水とを行うコンクリート構造体接続部の止水構造であって、
相対向するコンクリート構造体の接続部端面内側に切り欠き部を形成して止水用シール材を装着する装着溝を形成し、
この装着溝に装着される可撓性のあるゴムまたはプラスチック製の止水用シール材を、
前記装着溝の側面に外側面が押圧される一対の側面押圧部と、これら一対の側面押圧部を連結して前記装着溝の側面に押圧されて内側開口を塞ぐ開口閉塞部とを備え、
前記一対の側面押圧部を,前記装着溝の底部端側に間隔をあけ開口端側を接近させて圧縮反力による押圧力を発生可能に前記開口閉塞部に連結するとともに、前記一対の側面押圧部および前記開口閉塞部にそれぞれ中空部を形成してなり、
この止水用シール材の一対の側面押圧部の間隔を狭めて圧縮反力を生じさせて前記装着溝に装着してなることを特徴とするコンクリート構造体接続部の止水構造。
【請求項２】
前記装着溝の内側開口部側に、狭い幅とした狭幅部を形成するとともに、この狭幅部に、前記止水用シール材の開口閉塞部を配置してなることを特徴とする請求項１記載のコンクリート構造体接続部の止水構造。
【請求項３】
前記装着溝と前記止水用シール材との接触面に、シーリング材または接着剤を介在させてなることを特徴とする請求項１または２記載のコンクリート構造体接続部の止水構造。
【請求項４】
相対向するコンクリート構造体の接続部端面内側に形成した切り欠き部によって形成される装着溝に装着して接続部の変位の吸収と止水とに用いる可撓性のあるゴムまたはプラスチック製の止水用シール材であって、
前記装着溝の側面に外側面が押圧される一対の側面押圧部と、これら一対の側面押圧部を連結して前記装着溝の側面に押圧されて内側開口を塞ぐ開口閉塞部とを備え、
前記一対の側面押圧部を、前記装着溝の底部端側に間隔をあけ開口端側を接近させて圧縮反力による押圧力を発生可能に前記開口閉塞部に連結するとともに、前記一対の側面押圧部および前記開口閉塞部にそれぞれ中空部を形成してなることを特徴とするコンクリート構造体接続部の止水用シール材。
【発明の詳細な説明】
【技術分野】
【０００１】
この発明は、コンクリート構造体接続部の止水構造およびこれに用いる止水用シール材に関し、コンクリート製二次製品であるコンクリート函体などを用いて水路などを構築する場合の接続部の変位の吸収および止水を行なうもので、特にコンクリート函体を接続して農業用水路などを構築する場合に好適なものである。
【背景技術】
【０００２】
コンクリート構造体のひとつとして、例えば図３に示すように、コンクリート製二次製品であるコンクリート函体を用いて水路を構築する場合があり、横断面形状が略Ｕ字状のコンクリート函体１，１の端面同士を相対向させた接続部２にあっては、コンクリート函体１，１の地震時の変位並びに温度変化等に起因する伸縮等を許容するとともに、止水する必要があり、種々の止水構造やこれに用いる止水用シール材が提案されている。
【０００３】
このようなコンクリート函体１，１の接続部２の止水構造に用いる止水用シール材として、例えば図４に示すように、ゴム継手３が用いられており、中央部の中空台形状の主部３ａの両側に板状の連結部３ｂを介して固定用のアンカー部３ｃが一体に形成されて構成され、主部３ａを接続部２の端面間の装着溝１ａに位置させ、アンカー部３ｃを固定用溝１ｂに入れて硬質樹脂製のくさび４で固定するようにしている。
【０００４】
また、特許文献１に開示された止水用シール材５では、図５に示すように、コンクリート函体１，１の接続部２の装着溝１ａに装着する本体５ａの両側に切り欠き部５ｂを形成することで押圧片５ｃを形成するとともに、装着溝１ａの開口側にジッパー溝５ｄを形成し、このジッパー溝５ｄに別に形成したジッパー５ｅを係合することで本体５ａを押し広げて押圧できるようにしている。
【０００５】
さらに、特許文献２では、一体成形された漏水防止用シール材を装着溝に装着することでシールするようにしている。
【特許文献１】特開２００２−１９４３３２号公報
【特許文献２】特開２００５−２８２１８０号公報
【発明の開示】
【発明が解決しようとする課題】
【０００６】
コンクリート函体１，１の接続部２の止水用のゴム継手３では、コンクリート函体１、１に変位が生じると、ゴム自体の変位反力が大きく、これがアンカー部３ｃに作用するため固定強度が不足してしまう場合がある。
【０００７】
また、止水用シール材５では、本体５ａにジッパー溝５ｄを形成しておき、このジッパー溝５ｄより大きいジッパー５ｅを係合することで、押し広げることができ、大きな固定強度を確保できるものの、２部品で構成されるため成形が煩雑となるとともに、施工も煩雑になる。
【０００８】
さらに、特許文献２に開示された漏水防止用シール材は、一体成形のため成形が容易にできるものの、２部品で構成した止水用シール材に比べ大きな固定強度を確保することが難しい。
【０００９】
この発明は、かかる従来技術の問題に鑑みてなされたものであって、一体構造として容易に成形することができ、コンクリート構造体への大きな固定強度を確保することができるコンクリート構造体接続部の止水構造およびこれに用いる止水用シール材を提供しようとするものである。
【課題を解決するための手段】
【００１０】
上記課題を解決するためこの発明の請求項１記載のコンクリート構造体接続部の止水構造は、コンクリート構造体の接続部の変位の吸収と止水とを行うコンクリート構造体接続部の止水構造であって、相対向するコンクリート構造体の接続部端面内側に切り欠き部を形成して止水用シール材を装着する装着溝を形成し、この装着溝に装着される可撓性のあるゴムまたはプラスチック製の止水用シール材を、前記装着溝の側面に外側面が押圧される一対の側面押圧部と、これら一対の側面押圧部を連結して前記装着溝の側面に押圧されて内側開口を塞ぐ開口閉塞部とを備え、前記一対の側面押圧部を,前記装着溝の底部端側に間隔をあけ開口端側を接近させて圧縮反力による押圧力を発生可能に前記開口閉塞部に連結するとともに、前記一対の側面押圧部および前記開口閉塞部にそれぞれ中空部を形成してなり、この止水用シール材の一対の側面押圧部の間隔を狭めて圧縮反力を生じさせて前記装着溝に装着してなることを特徴とするものである。
【００１１】
このコンクリート構造体接続部の止水構造によれば、相対向するコンクリート構造体の接続部端面内側に切り欠き部を形成して止水用シール材を装着する装着溝を形成し、可撓性のあるゴムまたはプラスチック製の止水用シール材を、前記装着溝の側面に外側面が押圧される一対の中空部を有する側面押圧部と、これら一対の側面押圧部を連結して前記装着溝の側面に押圧されて内側開口を塞ぐ中空部を有する開口閉塞部とを前記一対の側面押圧部を、前記装着溝の底部端側に間隔をあけ開口端側を接近させて圧縮反力による押圧力を発生可能に前記開口閉塞部に連結してあり、この止水用シール材の一対の側面押圧部の間隔を狭めて圧縮反力を生じさせて前記装着溝に装着することで、中空部とともに大きな固定強度を確保でき、しかも止水用シール材を一体に成形できるようにしている。
【００１２】
また、この発明の請求項２記載のコンクリート構造体接続部の止水構造は、請求項１記載の構成に加え、前記装着溝の内側開口部側に、狭い幅とした狭幅部を形成するとともに、この狭幅部に、前記止水用シール材の開口閉塞部を配置してなることを特徴とするものである。
【００１３】
このコンクリート構造体接続部の止水構造によれば、前記装着溝の内側開口部側に、狭い幅とした狭幅部を形成するとともに、この狭幅部に、前記止水用シール材の開口閉塞部を配置しており、狭幅部で開口閉塞部の固定強度を高めると同時に、側面押圧部の抜け出しを防止して一層固定強度を高めるようにしている。
【００１４】
さらに、この発明の請求項３記載のコンクリート構造体接続部の止水構造は、請求項１または２記載の構成に加え、前記装着溝と前記止水用シール材との接触面に、シーリング材または接着剤を介在させてなることを特徴とするものである。
【００１５】
このコンクリート構造体接続部の止水構造によれば、前記装着溝と前記止水用シール材との接触面に、シーリング材または接着剤を介在させるようにしており、シーリング材または接着剤で一層固定強度を高め、シール性を向上するようにしている。
【００１６】
また、この発明の請求項４記載のコンクリート構造体接続部の止水用シール材は、相対向するコンクリート構造体の接続部端面内側に形成した切り欠き部によって形成される装着溝に装着して接続部の変位の吸収と止水とに用いる可撓性のあるゴムまたはプラスチック製の止水用シール材であって、前記装着溝の側面に外側面が押圧される一対の側面押圧部と、これら一対の側面押圧部を連結して前記装着溝の側面に押圧されて内側開口を塞ぐ開口閉塞部とを備え、前記一対の側面押圧部を、前記装着溝の底部端側に間隔をあけ開口端側を接近させて圧縮反力による押圧力を発生可能に前記開口閉塞部に連結するとともに、前記一対の側面押圧部および前記開口閉塞部にそれぞれ中空部を形成してなることを特徴とするものである。
【００１７】
このコンクリート構造体接続部の止水用シール材によれば、可撓性のあるゴムまたはプラスチック製の止水用シール材であって、前記装着溝の側面に外側面が押圧される一対の中空部を有する側面押圧部と、これら一対の側面押圧部を連結して前記装着溝の側面に押圧されて内側開口を塞ぐ中空部を有する開口閉塞部とを備え、前記一対の側面押圧部を、前記装着溝の底部端側に間隔をあけ開口端側を接近させて圧縮反力による押圧力を発生可能に前記開口閉塞部に連結して形成してあり、一対の側面押圧部の間隔を狭めて圧縮反力を生じさせて装着溝に装着することで、中空部とともに大きな固定強度を確保でき、しかも止水用シール材を一体に成形できるようにしている。
【発明の効果】
【００１８】
この発明の請求項１記載のコンクリート構造体接続部の止水構造によれば、相対向するコンクリート構造体の接続部端面内側に切り欠き部を形成して止水用シール材を装着する装着溝を形成し、可撓性のあるゴムまたはプラスチック製の止水用シール材を、前記装着溝の側面に外側面が押圧される一対の中空部を有する側面押圧部と、これら一対の側面押圧部を連結して前記装着溝の側面に押圧されて内側開口を塞ぐ中空部を有する開口閉塞部とを前記一対の側面押圧部を、前記装着溝の底部端側に間隔をあけ開口端側を接近させて圧縮反力による押圧力を発生可能に前記開口閉塞部に連結したので、この止水用シール材の一対の側面押圧部の間隔を狭めて圧縮反力を生じさせて前記装着溝に装着することで、中空部とともに大きな固定強度を確保することができ、しかも止水用シール材を一体に成形することができる。
【００１９】
また、この発明の請求項２記載のコンクリート構造体接続部の止水構造によれば、前記装着溝の内側開口部側に、狭い幅とした狭幅部を形成するとともに、この狭幅部に、前記止水用シール材の開口閉塞部を配置したので、狭幅部で開口閉塞部の固定強度を高めることができると同時に、側面押圧部の抜け出しを防止して一層固定強度を高めることができる。
【００２０】
さらに、この発明の請求項３記載のコンクリート構造体接続部の止水構造によれば、前記装着溝と前記止水用シール材との接触面に、シーリング材または接着剤を介在させるようにしたので、シーリング材または接着剤で一層固定強度を高めることができるとともに、シール性を向上することができる。
【００２１】
また、この発明の請求項４記載のコンクリート構造体接続部の止水用シール材によれば、可撓性のあるゴムまたはプラスチック製の止水用シール材であって、前記装着溝の側面に外側面が押圧される一対の中空部を有する側面押圧部と、これら一対の側面押圧部を連結して前記装着溝の側面に押圧されて内側開口を塞ぐ中空部を有する開口閉塞部とを備え、前記一対の側面押圧部を、前記装着溝の底部端側に間隔をあけ開口端側を接近させて圧縮反力による押圧力を発生可能に前記開口閉塞部に連結して形成したので、一対の側面押圧部の間隔を狭めて圧縮反力を生じさせて装着溝に装着することで、中空部とともに大きな固定強度を確保することができ、しかも止水用シール材を一体に成形することができる。
【発明を実施するための最良の形態】
【００２２】
以下、この発明の実施の形態について、図面に基づき詳細に説明する。  
図１および図２はこの発明のコンクリート構造体接続部の止水構造およびこれに用いる止水用シール材の一実施の形態にかかり、図１は止水用シール材の端面図および止水状態の端面図、図２は止水用シール材が取り付けられるコンクリート構造体の横断面図、Ｂ−Ｂ矢視図およびＣ部拡大図である。
【００２３】
このコンクリート構造体接続部の止水構造１０では、既に図３で説明したように、例えばコンクリート構造体のひとつであるコンクリート二次製品の横断面形状が略Ｕ字状のコンクリート函体１、１の端面同士を相対向させた目地部となる接続部２を止水用シール材２０を用いて止水することで、例えば農業用水路とする場合の止水と同時に、コンクリート函体１、１の地震時などの相対変位や温度変化などに起因する伸縮を可能とするものである。
【００２４】
そして、このコンクリート構造体接続部の止水構造１０では、接続部２で相対向するコンクリート函体１、１の接続部端面１１、１１の水路となる内側に沿って止水用シール材２０を装着するための切り欠き部１２ａ、１２ａが形成され、相対向する２つの切り欠き部１２ａ、１２ａを組み合わせることによって装着溝１２が構成されるようにしてある。
【００２５】
この装着溝１２は、図２に示すように、コンクリート函体１の内側（水路側）の開口部側に、間隔を狭い幅とした狭幅部１３が形成され、この狭幅部１３の外側に連続して広い幅の装着部１４が形成され、装着部１４の底部は接続部２の中心に向って傾斜する傾斜面１５としてある。
【００２６】
このようなコンクリート構造体であるコンクリート函体１、１の接続部２に形成した装着溝１２に装着する止水用シール材２０は、ゴムやプラスチックなどの可撓性材料で成形され、図１に端面を示すように、装着溝１２の側面(コンクリート函体１の端面１１に相当)に押圧される一対の側面押圧部２１,２１と、これら２つの側面押圧部２１、２１を連結して装着溝１２の内側(水路側)の開口を塞ぐ開口閉塞部２２とが装着溝１２の内側開口から見て(図１(ａ)の紙面上側から下側に見て)略Ｖ字状に配置されて一体成形されている。
【００２７】
この止水用シール材２０の側面押圧部２１は、横断面形状が中空の略半円形とされ、円弧面となっている外側面２１ａが装着溝１２の側面への押圧部分となる。そして、この実施の形態では、側面押圧部２１の外側面２１ａにギザギザの凹凸部２１ｂが形成され、装着溝１２の側面（コンクリート函体１の接続部端面１１）への密着性を高め止水効果を向上できるようにしてあり、装着溝１２の底部側の凹凸部２１ｂが深く長く突き出すようにしてある。
【００２８】
このような側面押圧部２１が一対、コンクリート函体１、１の接続部２を挟んで対称に配置され、円弧面となっている外側面２１ａが外側に配置され、装着溝１２の幅の広い装着部１４に装着される。
【００２９】
一対の側面押圧部２１、２１を連結する開口閉塞部２２は、横断面形状が中空の略矩形とされ、装着溝１２の狭幅部１３の幅および深さに対応する幅（側面間の距離）と高さの矩形とされて、装着溝１２の内側開口を塞ぎ、この塞いだ状態で装着溝１２の狭幅部１３に両外側面２２ａが押圧されるとともに、コンクリート函体１、１の内側面と凹凸のない面一となるようにしてある。そして、この開口閉塞部２２にも外側面２２ａにギザギザの凹凸部２２ｂが形成され、装着溝１２の狭幅部１３の側面（コンクリート函体１の接続部端面１１）への密着性を高め止水効果を向上できるようにしてある。
【００３０】
このような側面押圧部２１、２１と開口閉塞部２２とは、図１（ａ）に示すように、内側開口から見て(図１(ａ)の紙面上側から下側に見て)一対の側面押圧部２１，２１が略Ｖ字状に配置されて開口閉塞部２２と一体に連結されており、側面押圧部２１、２１の装着溝１２の底部側である傾斜面１５側の端部の間隔を広くあけ、開口端側の端部を接近させて略Ｖ字状として開口閉塞部２２に連結され、全体が押出成形などで一体成形される。
【００３１】
これにより、一対の側面押圧部２１、２１の間隔が開いた部分を狭めるようにして止水用シール材２０をコンクリート函体１、１の接続部２に形成した装着溝１２に装着することで、これら側面押圧部２１、２１間に圧縮反力（狭めた状態から広がろうとする力）が生じ、装着溝１２への押圧力を高めることができる。
【００３２】
次ぎに、このような止水用シール材２０を用いて行うコンクリート構造物接続部の止水構造１０について説明する。
【００３３】
このコンクリート構造物接続部の止水構造１０では、コンクリート構造物であるコンクリート函体１、１の接続部２に形成した切り欠き部１２ａを組み合わせた装着溝１２に止水用シール材２０の一対の側面押圧部２１、２１の先端の間隔が開いた部分を狭めるようにして装着溝１２の内側開口から押し込むようにし、一対の側面押圧部２１、２１が装着溝１２の幅の広い装着部１４に位置し、開口閉塞部２２が装着溝１２の狭幅部１３に位置するとともに、開口閉塞部２２の表面がコンクリート函体１、１の平坦部(コーナ部は除く)の表面と同一平面を成すようにする。
【００３４】
この止水用シール材２０を装着溝１２に装着する際に、装着溝１２の側面と止水用シール材２０の外側面２１ａ、２２ａとのいずれか一方または両方にシーリング材やゴム系接着剤などを充填したり、塗布するようにして止水用シール材２０を固定し、止水性を確保する。このシーリング材やゴム系接着剤を止水用シール材２０の凹凸部２１ｂ,２２ｂに入り込むようにすることで、一層強固に固定し、止水効果を向上することができる。
【００３５】
また、このコンクリート構造物接続部の止水構造１０では、コンクリート構造物であるコンクリート函体１、１の接続部２で相対向する接続端面１１，１１間の止水用シール材２０の外側には、コンクリート函体１、１の外部からの土砂の侵入防止用目地材１６が装着してある。
【００３６】
こうして止水用シール材２０を装着溝１２に取り付けると、止水用シール材２０の側面押圧部２１および開口閉塞部２２に形成した中空部２１ｃ，２２ｃによって大きな変形代を確保できるとともに、圧縮反力を確保して装着溝１２に大きな押圧力で押圧することができる。
【００３７】
また、１対の側面押圧部２１、２１をＶ字状に配置して、これを閉じるようにして装着溝１２に装着することで、開こうとする圧縮反力が生じ、これによってさらに大きな押圧力で装着溝１２の側面に押圧することができる。
【００３８】
さらに、止水用シール材２０が一部品で構成されることから、施工が簡単であり、しかも一体成形でき、製造も容易となる。
【００３９】
また、コンクリート函体１、１の接続部２の相対向する接続端面１１，１１間の止水用シール材２０の外側の目地材１６によって、コンクリート函体１、１の外部からの土砂の侵入を防止することができ、一層止水性を向上することができる。
【図面の簡単な説明】
【００４０】
【図１】この発明のコンクリート構造体接続部の止水構造およびこれに用いる止水用シール材の一実施の形態にかかる止水用シール材の端面図および止水状態の端面図である。
【図２】この発明のコンクリート構造体接続部の止水構造およびこれに用いる止水用シール材の一実施の形態に止水用シール材が取り付けられるコンクリート構造体の横断面図、Ｂ−Ｂ矢視図およびＣ部拡大図である。
【図３】この発明のコンクリート構造体接続部の止水構造が適用されるコンクリート構造体の一例の概略斜視図である。
【図４】従来のコンクリート構造体の継手構造の断面図である。
【図５】従来のコンクリート構造体の継手構造の断面図である。
【符号の説明】
【００４１】
１、１    コンクリート函体(コンクリート構造体)
２        接続部
１０      コンクリート構造体接続部の止水構造
１１      接続部端面
１２      装着溝
１２ａ    切り欠き部
１３      狭幅部
１４      装着部
１５      傾斜面
１６      目地材
２０      止水用シール材
２１      側面押圧部
２１ａ    外側面
２１ｂ    凹凸部
２１ｃ    中空部
２２      開口閉塞部
２２ａ    外側面
２２ｂ    凹凸部
２２ｃ    中空部
【図１】
2008156833.tif 000003
【図２】
2008156833.tif 000004
【図３】
2008156833.tif 000005
【図４】
2008156833.tif 000006
【図５】
2008156833.tif 000007